(57)【特許請求の範囲】
【請求項１】
共通のバーナからの燃焼熱を受ける共通の熱交換器に、給湯系の受熱管と他の系の受熱管が挿通され、この給湯系が、上記受熱管と、その両端に接続された給水管および給湯管と、これら給水管，給湯管の間に接続されて上記受熱管と並列をなすバイパス管と、このバイパス管に設けられたバイパス弁とを含む給湯装置において、
上記給湯系に水が流れず上記他の系に水が流れた状態でのバーナ燃焼の要求があった時に、バーナ燃焼を一応開始し、これと平行して上記バイパス弁を動作させてその動作が正常か否かを確認し、正常と判断した時にはバーナ燃焼を続行し、異常と判断した時には実行中のバーナ燃焼を強制終了させる制御手段を備えたことを特徴とする給湯装置。
【請求項２】
上記給湯系の受熱管またはその近傍に温度センサが設けられ、上記制御手段は、上記バイパス弁の動作確認と平行して初期モードでバーナ燃焼を実行し、この動作確認で異常と判断した時には、バーナ燃焼を強制終了させ、正常と判断した時には、本格モードでバーナ燃焼を実行し、
上記初期モードでは、上記温度センサでの検出温度が第１設定温度になるように燃焼制御し、本格モードでは、上記温度センサでの検出温度が第１設定温度より高い第２設定温度になるように燃焼制御することを特徴とする請求項１に記載の給湯装置。
【請求項３】
上記給湯系の受熱管またはその近傍に温度センサが設けられ、上記制御手段は、上記バーナ燃焼の要求を受けた時に、この温度センサでの検出温度に基づいて燃焼開始時点を決定し、この燃焼開始時点からバーナ燃焼を実行し、しかも、上記燃焼開始時点の決定に際しては、この燃焼開始時点から動作確認終了の予想時点までの時間幅を検出温度が低いほど大きく検出温度が高いほど小さくなるように決定することを特徴とする請求項１に記載の給湯装置。
【請求項４】
上記バイパス弁がギアモータにより駆動され、このギアモータの可動部に位置検出手段が設けられ、上記制御手段は、この位置検出手段からの位置情報に基づいてバイパス弁の動作を確認することを特徴とする請求項１〜３に記載の給湯装置。
【発明の詳細な説明】
【０００１】
【発明の属する技術分野】
本発明は、いわゆる１缶複水路型の給湯装置に関する。
【０００２】
【従来の技術】
１缶複水路の給湯装置は、小型化を図るために開発されたものである。追焚機能付きの１缶２水路型の給湯装置を例にとって簡単に説明すると、１つの缶内に、共通の熱交換部と共通のバーナが収納されている。この熱交換部を２つの系の受熱管が貫いている。一方の受熱管は、給湯系の一部として提供され、他方の受熱管は追焚系の一部として提供される。給湯系は、上記受熱管の他に、この受熱管の両端に連なる給水管と給湯管を有している。給湯管の末端には、給湯栓が設けられている。
【０００３】
上記構成の給湯装置では、追焚時には、追焚系に設けられたポンプを駆動させて風呂の水を循環させるとともに、共通バーナの燃焼を実行する。また、給湯栓が開いた時には、給湯系に水が流れるが、この時にも共通バーナの燃焼を実行して、給湯を行う。
【０００４】
上記構成の給湯装置では、共通の熱交換部に追焚系と給湯系の受熱管が通っており、上記追焚が実行されている時に、給湯系の受熱管に滞留している水も共通バーナの燃焼熱を受けて加熱される。そのため、追焚の途中や、追焚終了直後に給湯栓を開いて給湯を開始した時には、給湯初期にユーザーに苦痛を与えるような高い湯が吐出されるおそれがある。
【０００５】
上記不都合を防ぐために、実公昭６１−７４５８号に開示されている給湯装置の給湯系には、受熱管と並列をなして給水管，給湯管に接続されたバイパス管と、このバイパス管に設けられた電磁弁からなるバイパス弁が装備されている。そして、給湯初期にバイパス弁を開き、給水管からバイパス管を経た低温の水を上記受熱管に滞留していた高温の湯と混ぜることにより、吐出湯の温度を下げるようにしている。
【０００６】
【発明が解決しようとする課題】
上述した１缶２水路型の追焚機能付き給湯装置では、特にバイパス弁が閉じた状態で故障している場合、給湯初期にバイパス管を介して適温の湯を給湯管に供給できず、ユーザーに苦痛を与えるような高い湯が吐出されることがある。
【０００７】
【課題を解決するための手段】
請求項１の発明は、共通のバーナからの燃焼熱を受ける共通の熱交換器に、給湯系の受熱管と他の系の受熱管が挿通され、この給湯系が、上記受熱管と、その両端に接続された給水管および給湯管と、これら給水管，給湯管の間に接続されて上記受熱管と並列をなすバイパス管と、このバイパス管に設けられたバイパス弁とを含む給湯装置において、上記給湯系に水が流れず上記他の系に水が流れた状態でのバーナ燃焼の要求があった時に、バーナ燃焼を一応開始し、これと平行して上記バイパス弁を動作させてその動作が正常か否かを確認し、正常と判断した時にはバーナ燃焼を続行し、異常と判断した時には実行中のバーナ燃焼を強制終了させる制御手段を備えたことを特徴とする。
【０００９】
請求項２の発明は、請求項１に記載の給湯装置において、上記給湯系の受熱管またはその近傍に温度センサが設けられ、上記制御手段は、上記バイパス弁の動作確認と平行して初期モードでバーナ燃焼を実行し、この動作確認で異常と判断した時には、バーナ燃焼を強制終了させ、正常と判断した時には、本格モードでバーナ燃焼を実行し、上記初期モードでは、上記温度センサでの検出温度が第１設定温度になるように燃焼制御し、本格モードでは、上記温度センサでの検出温度が第１設定温度より高い第２設定温度になるように燃焼制御することを特徴とする。
請求項３の発明は、請求項１に記載の給湯装置において、上記給湯系の受熱管またはその近傍に温度センサが設けられ、上記制御手段は、上記バーナ燃焼の要求を受けた時に、この温度センサでの検出温度に基づいて燃焼開始時点を決定し、この燃焼開始時点からバーナ燃焼を実行し、しかも、上記燃焼開始時点の決定に際しては、この燃焼開始時点から動作確認終了の予想時点までの時間幅を検出温度が低いほど大きく検出温度が高いほど小さくなるように決定することを特徴とする。
請求項４の発明は、請求項１〜３に記載の給湯装置において、上記バイパス弁がギアモータにより駆動され、このギアモータの可動部に位置検出手段が設けられ、上記制御手段は、この位置検出手段からの位置情報に基づいてバイパス弁の動作を確認することを特徴とする。
【００１０】
【発明の実施の形態】
以下、本発明の一実施形態について、図１〜図４を参照して説明する。図３は、給湯と追焚の２つの機能を有する１缶２水路型の給湯装置を示す。この給湯装置は、一つの缶１の下部に共通のバーナ２を収納し、上部に共通の熱交換部３を収納することにより、構成されている。缶１の底部には、燃焼空気を供給するためのファン４が設けられている。上記バーナ２へガスを供給する手段５は、主電磁開閉弁５ａと電磁比例弁５ｂを有している。バーナ２の近傍には点火機構（図示しない）が配置されている。
【００１１】
上記熱交換部３は、多数の薄肉のフィンプレート３ａを有しており、このフィンプレート３ａに、給湯系１０の受熱管１１と追焚系２０の受熱管２１とが貫通している。
【００１２】
上記給湯系１０について詳述する。上記受熱管１１の入口端には、給水管１２が接続され、出口端には給湯管１３が接続されている。給湯管１３の末端には開閉栓１４が設けられている。給水管１２には水量制御弁１５が設けられている。また、これら給水管１２と給湯管１３との間には、受熱管１１と並列をなすバイパス管１６が接続されており、このバイパス管１６にはバイパス弁１７が設けられている。
【００１３】
上記追焚系２０について詳述する。上記受熱管２１の入口端と浴槽６の循環金具６ａとの間には復路管２２が接続され、受熱管２１の出口端と循環金具６ａとの間には往路管２３が接続されている。復路管２２には、ポンプ２４が設けられている。
【００１４】
さらに、給湯装置は、制御ユニット３０（制御手段）を有している。この制御ユニット３０は、ガス供給手段５の主電磁開閉弁５ａ，電磁比例弁５ｂと、点火機構と、ファン４と、水量制御弁１５と、バイパス弁１７と、ポンプ２４を制御するものである。この制御ユニット３０には、種々の検出手段からの検出信号が入力される。検出手段としては、給水管１３に設けた水流スイッチ３１，缶１の外に位置する受熱管１１のＵベンド部に設けられた温度センサ３２，給湯管１３においてバイパス管１６より上流側に設けられた温度センサ３３，下流側に設けられた温度センサ３４，復路管２２に設けられた水流スイッチ３５および温度センサ３６等がある。
【００１５】
上記バイパス弁１７としては、図４に示すようなギアモータ駆動式のものが用いられている。詳述すると、バイパス管１６に設けられた弁口５０は、軸方向に移動可能な弁体５１により開閉される。この弁体５１は、ギア列５２を介してモータ５３に接続されており、モータ５３の回転に伴い軸方向に移動する。ギア列５２における１つのギアのシャフト（可動部）にはポテンショメータ５５（位置検出手段）が設けられており、このポテンショメータ５５の検出信号も上記制御ユニット３０に送られる。
【００１６】
次に、上記構成の給湯装置の作用について説明する。説明を簡略化するために、最初に本発明の特徴を含まない一般的な作用について説明する。給湯栓１４を開くと、給水管１２，受熱管１１，給湯管１３の順に水が流れる。給水管１２に設けられた水流スイッチ３１がこれを検出し、この検出信号に応答して制御ユニット３０が、主電磁開閉弁５ａを開くとともに点火動作を行うことにより、バーナ２での燃焼が開始される。その結果、フィンプレート３ａが加熱され、ひいては受熱管１１を通る水が加熱され、湯となって給湯栓１４から吐出される。なお、温度センサ３３，３４からの信号に基づき、出湯温度がユーザー設定温度になるように、電磁比例弁５ｂ，水量制御弁１５の開度が制御される。
【００１７】
追焚を行う場合には、制御ユニット３０やリモコン（図示しない）の追焚ボタンを押す。これに応答して制御ユニット３０は、ポンプ２４を駆動することにより浴槽６の水を復路管２２，受熱管２１，往路管２３を経て循環させる。また、主電磁開閉弁５ａを開くとともに点火動作を行うことにより、バーナ２での燃焼を開始する。その結果、フィンプレート３ａが加熱され、ひいては受熱管２１を通る浴槽６からの水が加熱され、追焚が実行される。温度センサ３６で検出された浴槽６の湯温がユーザー設定温度に達した時に、この追焚を終了する。なお、空焚きを防止するため、上記追焚燃焼の開始は水流スイッチ３５のオン状態を確認してから実行する。
【００１８】
上記追焚を単独で実行している際に、バーナ２の燃焼熱は、給湯系１０の受熱管１１に滞留している水にも付与される。このため、受熱管１１の滞留水が高温になってしまう。この点に関して、次のような制御上の工夫がなされている。すなわち、追焚燃焼は、受熱管１１のＵベンド部に設けられた温度センサ３２での検出温度（すなわち、受熱管１１の滞留水温度）に基づいて制御される。詳述すると、バーナ２の燃焼は、この検出温度が上昇して７５°Ｃに達した時に中断し、検出温度が低下して７０°Ｃに達した時に再開される。このようなヒステリシス制御により、受熱管１１の滞留水の沸騰を防止しながら、短時間で追焚を完了できるようにしている。
【００１９】
上記のように追焚を単独で実行している最中には、給湯系１０の受熱管１１内の滞留水の温度が７０°Ｃ〜７５°Ｃの範囲にあり、追焚を終了した直後には、残留熱により、この滞留水の温度が８０°Ｃ程度にまで上昇する。したがって、追焚の最中や追焚終了直後に給湯が開始されると、その初期には受熱管１１の高温の滞留水が給湯栓１４から吐出してしまうことになる。それを防止するために、制御ユニット３０は、給湯初期にバイパス弁１７のモータ５３を駆動してこのバイパス弁１７を開く。すると、給水管１２からの水がバイパス管１６を介して給湯管１３に供給され、上記受熱管１１の滞留水が、このバイパス管１６からの水と混合して、適温または低温となり給湯栓１４から吐出される。このバイパス弁１７は、給湯初期にのみ開き、その後閉じられる。
【００２０】
なお、給湯初期において、上記受熱管１１のＵベンド部の温度センサ３２の検出温度に基づいて、バイパス弁１７の開き動作をするか否かを選択してもよい。すなわち、ユーザーに苦痛とならない温度である場合には、バイパス弁１７の開き動作を行わず、ユーザーに苦痛となる温度である場合にのみ、バイパス弁１７の開き動作を行う。
また、給湯初期に、上記温度センサ３２の検出温度に応じてバイパス弁１７の開度を調節してもよい。すなわち、検出温度が高いほどバイパス弁１７の開度を大きくするのである。
【００２１】
上記バイパス弁１７が給湯初期に正常に開き動作せず、閉じられたままであると、上述したように給湯初期に受熱管１１の高温の滞留水がそのまま給湯栓１４から吐出されるおそれがある。これを防止するために、受熱管１１の滞留水の温度を上昇させる原因となる追焚の単独実行を禁じる。この点が本発明の特徴部となる。
【００２２】
次に、第１態様の追焚制御ルーチンを図１を参照しながら説明する。まず、給湯が実行されていない状態で、追焚ボタンがオン操作された時には、これに応答して、後述するエラーフラグがセットされているか否かを判断する（ステップ１００）。否定判断の時には、ポンプ２４を駆動させ（ステップ１０１）、さらにバイパス弁１７の動作確認を行う。詳述すると、全閉状態にあるバイパス弁１７のモータ５３を駆動して、全開状態にする（ステップ１０２）。次に、ポテンショメータ５５からの信号に基づき、バイパス弁１７が全開状態になったか否かを判断する（ステップ１０３）。肯定判断の時には、モータ５３を逆回転させてバイパス弁１７を全開から全閉にし（ステップ１０４）、ポテンショメータ５５からの信号に基づき、バイパス弁１７が全閉になったか否かを判断する（ステップ１０５）。なお、この動作確認は約１０秒程度の時間を必要とする。
【００２３】
上記ステップ１０３，１０５で肯定判断した場合、すなわちバイパス弁１７が正常であると判断した時には、水流スイッチ３５がオンしているか否かを判断する（ステップ１０６）。浴槽６に水がある状態でポンプ２４を駆動すると、浴槽６の水が追焚系２０を循環するので、水流スイッチ３５はオンしている。したがって、ステップ１０６で肯定判断した時には、バーナ２に点火して追焚燃焼を開始し、前述したように、浴槽６の湯の温度がユーザー設定温度になるまで継続する（ステップ１０７）。ステップ１０６で否定判断した場合には、空焚きのおそれがあるので、追焚燃焼を行わずにこのルーチンを終了する。
【００２４】
バイパス弁１７に動作異常がある場合には、ステップ１０３，１０５のいずれかで否定判断し、エラーフラグをセットし（ステップ１０８）、制御ユニット３０やリモコン等の表示部にエラー表示（警報表示）をして（ステップ１０９）、このルーチンを終了する。
エラーフラグをセットした後に再び追焚ボタンを押した時には、ステップ１００で否定判断するため、即座にこのルーチンを終了する。なお、このエラーフラグは、制御ユニット３０のリセットボタンを押すことによりリセットされる。
【００２５】
上記単独追焚制御ルーチンを、タイムチャートで示すと図２のようになる。すなわち、追焚ボタンを押すと、ポンプ２４が駆動されるとともに、バイパス弁１７の動作確認が実行される。そして、この動作確認でバイパス弁１７が正常であると判断した時に、初めてバーナ２の燃焼（追焚燃焼）が開始される。バイパス弁１７が異常である時には、追焚燃焼が実行されない。そのため、給湯動作に先立って給湯系１０の受熱管１１内の滞留水が加熱されることがなく、給湯初期に受熱管１１の高温滞留水が給湯栓１４から吐出される不都合を防止することができる。
【００２６】
次に、上記給湯装置の制御ユニット３０で実行される第２態様の単独追焚制御ルーチンを図５，図６を参照して説明する。この第２態様では、前述の第１態様より早く追焚燃焼を開始することができる。図５に示すように、追焚ボタンのオンに応答して、エラーフラグがセットされているか否かを判断し（ステップ２００）、否定判断の時にはポンプ２４を駆動する（ステップ２０１）点は、第１態様のルーチンと同じである。次に、バイパス弁動作確認ルーチンの開始指令を発する（ステップ２０２）。これにより、別ルーチンで、図１のステップ１０２〜１０５と同様のステップの実行が開始される。次に、ｔ1（例えば２秒程度）待機した後（ステップ２０３）、水流スイッチ３５がオンか否かを判断する（ステップ２０４）。なお、上記ｔ1は、ポンプ２４のオンから実際に浴槽６の水が循環するのに十分な時間である。
【００２７】
上記ステップ２０４で肯定判断した時には、初期モードでの追焚燃焼を開始する（ステップ２０５）。この初期モードでは、温度センサ３２での検出温度が上昇して５５°Ｃに達した時にバーナ２の燃焼を中断し、この検出温度が低下して５０°Ｃに達した時に再開する。このようなヒステリシス制御の基準となる設定温度５０°Ｃ，５５°Ｃを、第１設定温度と称する。なお、第１設定温度は唯一の温度値であってもよい。また、ユーザーがリモコン等で設定する温度（例えば４２°Ｃ程度）であってもよい。
【００２８】
次に、上記別ルーチンでのバイパス弁１７の動作確認が終了したか否かを判断する（ステップ２０６）。否定判断の時には、ステップ２０５の初期モードでの追焚燃焼制御を継続する。肯定判断の時には、上記別ルーチンでの判断結果、すなわちバイパス弁１７が正常か否かを見る（ステップ２０７）。バイパス弁１７が正常であると判断した時には、本格モードの追焚燃焼を実行する（ステップ２０８）。この本格モードでは、温度センサ３２での検出温度が上昇して７５°Ｃに達した時にバーナ２の燃焼を中断し、この検出温度が低下して７０°Ｃに達した時に再開する。このようなヒステリシス制御の基準となる設定温度７０°Ｃ，７５°Ｃを、第２設定温度と称する。この第２設定温度は、上記初期モードでの第１設定温度より高い。なお、第２設定温度は唯一の温度値であってもよい。
【００２９】
ステップ２０７でバイパス弁１７が異常であると判断した時には、上記初期モードの追焚燃焼を終了することは勿論のこと、本格モードの追焚燃焼も実行せずに、エラーフラグをセットし（ステップ２０９）、制御ユニット３０の表示部にエラー表示（警報表示）をして（ステップ２１０）、このルーチンを終了する。なお、これらステップ２０９，２１０は、上記別ルーチンで実行してもよい。
【００３０】
上記第２態様の追焚制御ルーチンを、タイムチャートで示すと図６のようになる。すなわち、追焚ボタンを押すと、ポンプ２４が駆動されるとともに、バイパス弁１７の動作確認が実行される。そして、この動作確認と平行して、初期モードでのバーナ２の燃焼（追焚燃焼）が実行される。換言すれば、この初期モードの燃焼は、バイパス弁１７が正常か否かの判断結果が出る前に実行されるのである。そのため、追焚開始時期を早めることができ、ひいては浴槽６の湯温を早くユーザー設定温度にすることができる。
【００３１】
上記初期モードでの追焚燃焼が実行されると、給湯系１０の受熱管１１の滞留水が加熱されるが、この滞留水の温度は、温度センサ３２の検出温度に基づくフィードバック制御により、比較的低い第１設定温度（５０〜５５°Ｃ）に維持することができる。そのため、この初期モードでの追焚の最中または、初期モードでの追焚終了直後に、給湯動作が開始された場合、たとえバイパス弁１７が故障して開かずバイパス管１６からの水を混合することができなくても、給湯栓１４からの出湯温度が低いので、ユーザーに苦痛を与えないで済む。
【００３２】
上記初期モードでの燃焼制御は、バイパス弁１７の動作確認が終了した時点で終わる。バイパス弁１７が異常な時には本格モードの燃焼を行わないので、給湯動作に先立って給湯系１０の受熱管１１内の滞留水が比較的高い第２設定温度まで加熱されることがなく、給湯初期に高温滞留水が給湯栓１４から吐出される不都合を防止することができる。
また、バイパス弁１７が正常な時には、本格モードでの追焚燃焼を実行するので、初期モードでの追焚燃焼と相俟って、浴槽６の湯温を早くユーザー設定温度にすることができる。
【００３３】
次に、上記給湯装置の制御ユニット３０で実行される第３態様の単独追焚制御ルーチンを図７，図８を参照して説明する。この第３態様でも、前述の第１態様より早く追焚燃焼を実行できる。図７において、ステップ２００〜２０４は図５の第２態様と同じであるので、説明を省略する。ステップ２０４で肯定判断した時には、追焚燃焼の開始時期（通常、バイパス弁１７の動作確認終了時点より早い）を演算する（ステップ２５０）。
【００３４】
上記追焚燃焼の開始時期の演算方法について詳述する。まず、温度センサ３２から給湯系１０の受熱管１１の温度（滞留水温度）を読み込む。そして、この検出温度とユーザーが耐え得る温度（例えば上記第２態様の制御ルーチンにおける初期モードでの第１設定温度）との差を演算する。そして、この温度差に対応する熱量を付与するのに必要な追焚燃焼時間Δｔ（図８参照）をマップに基づいて演算する。この演算された追焚燃焼時間Δｔをバイパス弁１７の動作確認終了の予想時点から差し引くことにより、追い焚き開始時点を演算する。
上記説明からも明らかなように、上記追焚燃焼時間Δｔは、追焚燃焼のための点火からバイパス弁１７の動作確認終了の予想時点までの時間幅を意味し、検出温度が高いほど短く、検出温度が低いほど長い。
【００３５】
次に、上記演算された開始時点まで待機した後（ステップ２５１）、追焚燃焼を開始する（ステップ２５２）。この追焚燃焼は、第１態様のルーチンでの追焚燃焼制御，第２態様のルーチンでの本格モード制御と同じようにして制御される。この追焚燃焼は、バイパス弁１７の動作確認が終了するまで行われ（ステップ２０６）、動作確認終了時点で、バイパス弁１７が正常であると判断した時には、上記追焚燃焼を続行する（ステップ２０７，２５３）。ステップ２０７で否定判断した時には、追焚燃焼を停止し、第２態様のルーチンと同様のステップ２０９，２１０を実行する。
【００３６】
上記第３態様の追焚制御ルーチンを、タイムチャートで示すと図８のようになる。すなわち、追焚ボタンを押すと、ポンプ２４が駆動するとともに、バイパス弁１７の動作確認が実行される。そして、この動作確認の終了に先立ってバーナ２の燃焼（追焚燃焼）が実行される。
【００３７】
バイパス弁１７の動作確認が終了して正常であることが判明した時には、この追焚燃焼が続行される。また、異常な時には追焚燃焼が中止される。この中止時点での温度は、前述したように追焚燃焼の開始時点を温度センサ３２での検出温度に応じて調節することにより、比較的低い温度に抑えることができる。そのため、この追焚の最中または追焚中止直後に給湯が開始なされても、給湯初期に高温の滞留水が給湯栓１４から吐出されるの防止できる。
【００３８】
前述した実施形態では、バイパス管１６の中途部にバイパス弁１７があったが、図９，図１０に示すように、バイパス管１６の端、すなわちバイパス管１６と給湯管１３の交差部にバイパス弁１７’を配置してもよい。このバイパス弁１７’の構成は、前述の実施形態のバイパス弁１７と基本的に似ているので、対応する構成部には同番号を付してその説明を省略する。このバイパス弁１７’は、バイパス管１６と給湯管１３の下流側との間に配置された弁口５０ａと、給湯管１３の上流側と下流側との間に配置された弁口５０ｂとを有するとともに、これら弁口５０ａ，５０ｂに対応する２つの弁体５１ａ，５１ｂを有している。このバイパス弁１７’では、弁体５１ａ，５１ｂが最も左に寄った時に給湯管１３の上流と下流側を遮断し、バイパス管１６と給湯管１３の下流側とを連通させる。また、最も右に寄った時に、バイパス管１６を遮断し、給湯管１３の上流側と下流側を連通させる。なお、バイパス弁１７’の中間位置では、両方の通路が開いた状態になる。給湯初期には、バイパス弁１７’を中間位置にする。
【００３９】
本発明は上記実施形態に制約されず、種々の形態を採用することができる。例えば、上記実施形態のようにバイパス弁にギアモータ駆動式のものを用いると、その可動部での位置検出により、容易に動作確認することが可能であるが、実際の開閉動作を検出することができるのであれば、他の形式のバイパス弁を用いてもよい。
バイパス弁の動作確認は、閉じ状態から開き状態への動作が正常か否かを確認するだけでもよい。すなわち、この開き動作が正常であると確認できた時点で、追焚燃焼を開始したり、初期モードから本格モードへの移行を行うようにしてもよい。
【００４０】
上記実施形態では、給湯実行中に追焚要求があった場合には、バイパス弁の動作確認を省略して追焚を実行するが、この場合に動作確認を行ってもよい。
また、追焚と給湯を同時に実行した後で給湯が終了した時には、この給湯終了（追焚単独燃焼要求）に応答して、前述の制御ルーチン（第１〜第３態様のルーチン）と似た制御を実行してもよい。すなわち、第１態様のルーチンに似たルーチンを採用する場合には、追焚を一時中断し、その間にバイパス弁の動作確認を行い、正常な場合には追い焚きを再開し、異常の場合には追焚を禁じる。第２態様のルーチンに似たルーチンを採用する場合には、追焚燃焼を一旦初期モード制御に移行させ、正常の場合には本格モード制御に戻し、異常の場合には追い焚き燃焼を終了させる。第３態様のルーチンに似たルーチンを採用する場合には、追焚を一時中断し、追焚再開時点を演算して、この再開時点まで待って追焚燃焼を実行する。後は第３態様のルーチンと同様である。
【００４１】
本発明の給湯装置は、湯張り機能を有していてもよい。給湯系は、バイパス弁を設けたバイパス管の他に、弁をもたないバイパス管を有していてもよい。
本発明の給湯装置は、追焚系の代わりに暖房系や、循環給湯系を備えたものであってもよい。
本発明のバイパス管は広い概念で解釈されるべきものであり、ブロックに形成された通路をも含む。
動作確認で異常と判断された時には、燃焼を停止せず、警報表示を含む警報動作だけを行ってもよい。
追焚終了から十分長い時間経過している時には、バイパス弁は開動作しなくてもよい。
【００４２】
【発明の効果】
以上説明したように、請求項１の発明によれば、給湯系とは異なる系の加熱要求があった時には、バイパス弁の動作確認を行い、バイパス弁が異常である時には、バーナ燃焼を禁じるため、給湯初期に受熱管の高温滞留水が吐出される不都合を防止することができる。しかも、上記動作確認と平行してバーナ燃焼を開始するので、上記給湯系とは異なる系の役割を早期に果たすことができる。
請求項２の発明によれば、バイパス弁の動作確認と平行して行われるバーナ燃焼が、給湯系受熱管の検出温度と比較的低い第１設定温度に基づく初期モードで制御されるので、この動作確認の最中や、異常と判明してバーナ燃焼を中止した直後に給湯が開始されても、出湯温度を確実に低く抑えることができる。
請求項３の発明によれば、動作確認終了時点より前のバーナ燃焼の開始時点を、給湯系受熱管の検出温度に応じて調節するので、この動作確認の最中や、異常と判明してバーナ燃焼を中止した直後に給湯が開始されても、出湯温度を確実に低く抑えることができる。
請求項４の発明によれば、バイパス弁にギアモータ駆動式のものを用いるため、その可動部での位置検出により、容易に動作確認することが可能である。
【図面の簡単な説明】
【図１】本発明の一実施形態に係わる１缶２水路型の追焚機能付き給湯装置で実行される追焚制御ルーチンの第１態様を示すフローチャートである。
【図２】同第１態様の追焚制御ルーチンによって実行される制御のタイムチャートである。
【図３】同給湯装置の全体構成を示す概略図である。
【図４】同給湯装置に組み込まれたバイパス弁の構成を示す概略図である。
【図５】同給湯装置で実行される追焚制御ルーチンの第２態様を示すフローチャートである。
【図６】同第２態様の追焚制御ルーチンによって実行される制御のタイムチャートである。
【図７】同給湯装置で実行される追焚制御ルーチンの第３態様を示すフローチャートである。
【図８】同第３態様の追焚制御ルーチンによって実行される制御のタイムチャートである。
【図９】他の実施形態をなす給湯系の構成を示す概略図である。
【図１０】同給湯系で用いられるバイパス弁の構成を示す概略図である。
【符号の説明】
１  缶
２  バーナ
３  熱交換部
１０  給湯系
１１  受熱管
１２  給水管
１３  給湯管
１６  バイパス管
１７  バイパス弁
２０  追焚系
２１  受熱管
３０  制御ユニット（制御手段）
３２  温度センサ
【図１】
0003848726.tif 000002
【図２】
0003848726.tif 000003
【図３】
0003848726.tif 000004
【図４】
0003848726.tif 000005
【図５】
0003848726.tif 000006
【図６】
0003848726.tif 000007
【図７】
0003848726.tif 000008
【図８】
0003848726.tif 000009
【図９】
0003848726.tif 000010
【図１０】
0003848726.tif 000011